(57)【要約】【課題】観察者に対し、厚さが薄いイメージを与え、前面および後面から情報表示が見え周辺部に飾り表示が見える、電光表示装置を提供する。【解決手段】行列状に配列され、かつ前方に向けて配置された複数の第１発光素子３からなり、前記複数の第１発光素子３のオン又はオフによって画像情報を表示する情報表示部９と、前記情報表示部９の周囲に配列され、かつ側方に向けて配置された複数の第２発光素子２４および第１反射板１ｂからなる装飾表示部１０とを備え、前記複数の第２発光素子２４から出射された光は、側方に進み前記第１反射板１０ｂにて反射され、前方に向かう様に、構成された。【選択図】図７
2005215392.tif 000002
【特許請求の範囲】
【請求項１】
行列状に配列され、かつ前方に向けて配置された複数の第１発光素子からなり、前記複数の第１発光素子のオン又はオフによって画像情報を表示する情報表示部と、前記情報表示部の周囲に配列され、かつ側方に向けて配置された複数の第２発光素子および第１反射板からなる装飾表示部とを備え、前記複数の第２発光素子から出射された光は、側方に進み前記第１反射板にて反射され、前方に向かう様に、構成された事を特徴とする電光表示装置。
【請求項２】
前記複数の第１発光素子を覆い、前記複数の第２発光素子を覆い、前記第１反射板を覆うカバーを設け、前記カバーは、周辺部が中央部より薄くなる様に構成され、前記複数の第２発光素子から出射された光は、前記第１反射板にて反射され、前記カバーの周辺部を介して、前方に向かう様に構成された事を特徴とする請求項１の電光表示装置。
【請求項３】
行列状に配列され、かつ前方及び後方に向けて配置された複数の第１発光素子からなり、前記複数の第１発光素子のオン又はオフによって画像情報を前方および後方に表示する情報表示部と、前記情報表示部の周囲に配列され、かつ側方に向けて配置された複数の第２発光素子および第３発光素子と、第１反射板及び第２反射板とからなる装飾表示部とを備え、前記複数の第２発光素子から出射された光は、前記第１反射板にて反射され前方に向かい、前記複数の第３発光素子から出射された光は、前記第２反射板にて反射され後方に向かう様に構成された事を特徴とする電光表示装置。
【請求項４】
前記第１発光素子と前記第２発光素子と前記第３発光素子と前記第１反射板と前記第２反射板とを覆うカバーを設け、前記カバーは、周辺部が中央部より薄くなる様に構成され、前記第２発光素子又は前記第３発光素子から出射された光は、前記カバーの周辺部を介して、各々、前方又は後方に向かう様に構成されたことを特徴とする請求項３の電光表示装置。
【請求項５】
前記カバーは少なくとも、上カバーと下カバーと横カバーとを有し、前記上カバーおよび前記下カバーは透明な材質からなり、前記横カバーは少なくとも、前部に第１開口部が形成され、前記第２発光素子から出射された光は、前記第１反射板で反射され、前記上カバーの周辺部を透過し、前記第１開口部を通過し、前方に向かう様に構成された事を特徴とする請求項２又は請求項４の電光表示装置。
【請求項６】
前記第１反射板の傾き角度をゼロ度より大きく、４５度より小さく形成する事により、前方に向かう光像が楕円状に形成される事を特徴とする請求項５の電光表示装置。
【請求項７】
前記前方に向かう複数の光像の整列方向と直交する方向に位置する様に、前記第１反射板の反射部の表面に、所定の間隔にて複数のスリットが形成された事を特徴とする請求項５の電光表示装置。
【発明の詳細な説明】
【技術分野】
【０００１】
本発明は電光表示装置に関する。
【背景技術】
【０００２】
従来、この種の装置は、例えば特許文献１に示されている。この特許文献１によると、行列状に配列され、前方に向けて配置された複数の発光素子３からなる情報表示部５が設けられている。そして、情報表示部５の周囲に配列され、前方に向けて配置された複数の発光素子７からなる装飾表示部９が設けられている。
【特許文献１】特開２００３−２８０５３４号公報
【発明の開示】
【発明が解決しようとする課題】
【０００３】
上記装置１は略直方体であり、装置１の中央部と周辺部は同一の厚さである。また、発光素子３，７の前方に、光拡散板１３が設けられており、装置１の厚さが厚く、観察者にとって、不恰好な印象を与える、第１の欠点がある。
【０００４】
また、上記装置１では、発光素子３，７の光は前方のみを向いており、一方向のみ画像情報を表示できないので、上記一方向と逆方向に居る観察者は、上記情報を見ることができない、第２の欠点がある。
【０００５】
そこで、本発明はこの様な従来の欠点を考慮して、観察者に対して、厚さが薄いイメージを与え、前面および後面から情報表示が見え、周辺部に飾り表示が見える電光表示装置を与える。
【課題を解決するための手段】
【０００６】
上記課題を解決するために、請求項１の本発明では、行列状に配列され、かつ前方に向けて配置された複数の第１発光素子からなり、前記複数の第１発光素子のオン又はオフによって画像情報を表示する情報表示部と、前記情報表示部の周囲に配列され、かつ側方に向けて配置された複数の第２発光素子および第１反射板からなる装飾表示部とを備え、前記複数の第２発光素子から出射された光は、側方に進み前記第１反射板にて反射され、前方に向かう様に、構成された。
【０００７】
請求項２の本発明では、前記複数の第１発光素子を覆い、前記複数の第２発光素子を覆い、前記第１反射板を覆うカバーを設け、前記カバーは、周辺部が中央部より薄くなる様に構成され、前記複数の第２発光素子から出射された光は、前記第１反射板にて反射され、前記カバーの周辺部を介して、前方に向かう様に構成された。
【０００８】
請求項３の本発明では、行列状に配列され、かつ前方及び後方に向けて配置された複数の第１発光素子からなり、前記複数の第１発光素子のオン又はオフによって画像情報を前方および後方に表示する情報表示部と、前記情報表示部の周囲に配列され、かつ側方に向けて配置された複数の第２発光素子および第３発光素子と、第１反射板及び第２反射板とからなる装飾表示部とを備え、前記複数の第２発光素子から出射された光は、前記第１反射板にて反射され前方に向かい、前記複数の第３発光素子から出射された光は、前記第２反射板にて反射され後方に向かう様に構成された。
【０００９】
請求項４の本発明では、前記第１発光素子と前記第２発光素子と前記第３発光素子と前記第１反射板と前記第２反射板とを覆うカバーを設け、前記カバーは、周辺部が中央部より薄くなる様に構成され、前記第２発光素子又は前記第３発光素子から出射された光は、前記カバーの周辺部を介して、各々、前方又は後方に向かう様に構成された。
【００１０】
請求項５の本発明では、前記カバーは少なくとも、上カバーと下カバーと横カバーとを有し、前記上カバーおよび前記下カバーは透明な材質からなり、前記横カバーは少なくとも、前部に第１開口部が形成され、前記第２発光素子から出射された光は、前記第１反射板で反射され、前記上カバーの周辺部を透過し、前記第１開口部を通過し、前方に向かう様に構成された。
【００１１】
請求項６の本発明では、前記第１反射板の傾き角度をゼロ度より大きく、４５度より小さく形成する事により、前方に向かう光像が楕円状に形成された。
【００１２】
請求項７の本発明では、前記前方に向かう複数の光像の整列方向と直交する方向に位置する様に、前記第１反射板の反射部の表面に、所定の間隔にて複数のスリットが形成された。
【発明の効果】
【００１３】
請求項１の本発明では、行列状に配列され、かつ前方に向けて配置された複数の第１発光素子からなり、複数の第１発光素子のオン又はオフによって画像情報を表示する情報表示部と、情報表示部の周囲に配列され、かつ側方に向けて配置された複数の第２発光素子および第１反射板からなる装飾表示部とを備え、複数の第２発光素子から出射された光は側方に進み、第１反射板にて反射され、前方に向かう様に構成された。この様に、側方に向けて配置された第２発光素子から出射された光は、第１反射板にて反射され、前方に向かう事により、装飾表示部が構成される。その結果、周辺部に飾り表示が見えるので、観察者に対し、目立った印象（人目につく印象）を与えることができる。
【００１４】
請求項２の本発明では、複数の第１発光素子を覆い、複数の第２発光素子を覆い、第１反射板を覆うカバーを設け、カバーは、周辺部が中央部より薄くなる様に構成され、複数の第２発光素子から出射された光は、第１反射板にて反射され、カバーの周辺部を介して前方に向かう様に構成された。この様に、カバーの周辺部は中央部より薄くなる様に構成されるので、観察者に対し、装置の厚さが薄いイメージを与える。
【００１５】
請求項３の本発明では、行列状に配列され、かつ前方及び後方に向けて配置された複数の第１発光素子からなり、複数の第１発光素子のオン又はオフによって画像情報を前方および後方に表示する情報表示部と、情報表示部の周囲に配列され、かつ側方に向けて配置された複数の第２発光素子および第３発光素子と、第１反射板及び第２反射板とからなる装飾表示部とを備え、複数の第２発光素子から出射された光は、第１反射板にて反射され前方に向かい、複数の第３発光素子から出射された光は、第２反射板にて反射され後方に向かう様に構成されている。この様に、前方および後方に表示する情報表示部と、前方および後方に表示する装飾表示部を設けるので、観察者は前面および後面から、情報表示および飾り表示を見ることができる。
【００１６】
請求項４の本発明では、第１発光素子と第２発光素子と第３発光素子と第１反射板と第２反射板とを覆うカバーを設け、カバーは、周辺部が中央部より薄くなる様に構成され、第２発光素子又は第３発光素子から出射された光は、カバーの周辺部を介して、各々、前方又は後方に向かう様に構成された。この様に、カバーの周辺部は中央部より薄くなる様に構成されているので、前面および後面表示型であっても、観察者に対し、厚さが薄いイメージを与える。
【００１７】
請求項５の本発明は少なくとも、上カバーと下カバーと横カバーとを有し、上カバーおよび下カバーは透明な材質からなり、横カバーは少なくとも、前部に第１開口部が形成され、第２発光素子から出射された光は、第１反射板で反射され、上カバーの周辺部を透過し、第１開口部を通過し、前方に向かう様に構成された。この様に、構成する事により、外枠をなし、強度を要する横カバーを金属体で構成することによって、この電光表示装置は、所定の機械的強度が得られる。更に、この横カバーに設けられた第１開口部を介して第２発光素子からの光を取り出すので、飾り表示としての機能も同時に得られる。
【００１８】
請求項６の本発明では、第１反射板の傾き角度をゼロ度より大きく、４５度より小さく形成する事により、前方に向かう光像が楕円状に形成される。上記構成により、飾り表示として、複数の楕円状の光像が得られるので、人（観察者）の眼を引き易い。
【００１９】
請求項７の本発明では、前方に向かう複数の光像の整列方向と直交する方向に位置する様に、第１反射板の反射部の表面に、所定の間隔にて複数のスリットが形成された。上記構成により、飾り表示として、複数の光像が連続して見えるので、人（観察者）の眼を引き易い。
【発明を実施するための最良の形態】
【００２０】
以下に、図１ないし図４に従い、本発明を実施するための最良の形態１に係る電光表示装置１を説明する。図１は電光表示装置１の正面図、図２は図１のＡ１Ａ２断面図、図３は電光表示装置１のブロック図である。図４（ａ）は電光表示装置１の要部正面図、図４（ｂ）は上記要部の断面図である。
【００２１】
以下の説明において、「前方」とは、電光表示装置１に対して、観察者が見る方向である。「後方」とは、電光表示装置１に対して、「前方」と反対側のことであり、観察者の反対側に居る他の観察者が見る方向を示す。
【００２２】
即ち、これらの図において、前方はＺ２方向であり、後方はＺ１方向である。また、以下の説明における「側方」とは、前方および後方を結ぶ線に対し、直交する方向である。即ち、これらの図において、「側方」は、Ｘ１−Ｘ２方向と、Ｙ１−Ｙ２方向である。
【００２３】
これらの図において、１個の回路基板２には、１６本の行電極と１６本の列電極（共に図示せず）が形成されている。各々の第１発光素子３は例えば、橙色を発光する発光ダイオードである。この様にして、縦が１６個、横が１６個、合計１６×１６＝２５６個の第１発光素子３は行列状に配列され、かつ前方（Ｚ２方向）に向けて配置されている。
【００２４】
回路基板２の各列において、１６個の第１発光素子３の各アノードは、第１行目〜第１６行目の各行電極に接続されている。各行電極は、定電流ドライバ（図示せず）の各出力端子に接続されている。上記定電流ドライバの入力側には、クロック信号ＣＬと、データ信号ｄ１が入力される。
【００２５】
各列において、１６個の第１発光素子３の各カソードは各々、第１列目〜第１６列目の列電極に接続されている。
【００２６】
１６個の列電極は例えば、１個の点灯制御ドライバ（図示せず）の各出力端子に接続されている。点灯制御ドライバの入力側には、スキャン信号Ｓが入力される。上記定電流ドライバと上記点灯制御ドライバとにより、駆動回路Ｄ１（図３参照）が構成されている。
【００２７】
上記定電流ドライバに、データ信号ｄ１が入力されると、この定電流ドライバは、第１行目の行電極から第１６行目の行電極に対し、パラレルにデータを出力する。上記構成により、データ信号ｄ１に従って、２５６個の第１発光素子３は、点灯（オン）または消灯（オフ）される事により、回路基板２上で所定の表示が行われる。
【００２８】
回路基板４，５，６，７，８も回路基板２と同一の構成であり、各々、縦が１６個、横が１６個、合計２５６個の第１発光素子３が配置されている。
【００２９】
駆動回路Ｄ２，Ｄ３，Ｄ４，Ｄ５，Ｄ６も駆動回路Ｄ１と同一の構成であり、各々が回路基板４，５，６，７，８に接続され、各々、データ信号ｄ２，ｄ３，ｄ４，ｄ５，ｄ６が入力される。この様に、駆動回路Ｄ１〜Ｄ６にデータ信号ｄ１〜ｄ６が入力される事により、回路基板２，４，５，６，７，８上の各第１発光素子３はオンまたはオフされ、画像情報が前方（Ｚ２方向）に表示される。
【００３０】
即ち、行列状に配列され、かつ前方（Ｚ２方向）に向けて配置された複数の第１発光素子３からなり、複数の第１発光素子３のオンまたはオフによって、画像情報を前方（Ｚ２方向）に表示する情報表示部９が設けられている。
【００３１】
また、回路基板２ａは回路基板２と同一の構成である。縦が１６個、横が１６個、合計２５６個の第１発光素子３ａは行列状に配列され、かつ後方（Ｚ１方向）に向けて配置されている。
【００３２】
回路基板４ａ，５ａ，６ａ，７ａ，８ａ（図示せず）は、回路基板２ａと同一の構成であり、各々、縦が１６個、横が１６個、合計２５６個の第１発光素子３ａが配置されている。
【００３３】
各回路基板２ａ，４ａ，５ａ，６ａ，７ａ，８ａには各々、駆動回路Ｄ１ａ，Ｄ２ａ，Ｄ３ａ，Ｄ４ａ，Ｄ５ａ，Ｄ６ａ（図示せず）が接続されている。
【００３４】
この様に、駆動回路Ｄ１ａ〜Ｄ６ａに、データ信号ｄ１ａ〜ｄ６ａが入力される事により、回路基板２ａ，４ａ，５ａ，６ａ，７ａ，８ａ上の各発光素子３ａはオンまたはオフされ、画像情報が後方（Ｚ１方向）に表示される。
【００３５】
即ち、行列状に配列され、かつ後方（Ｚ１方向）に向けて配置された複数の第１発光素子３ａからなり、複数の第１発光素子３ａのオンまたはオフによって、画像情報を後方（Ｚ１方向）に表示する情報表示部９ａが設けれている。
【００３６】
装飾表示部１０，１１，１２，１３，１４，１５，１６，１７，１８，１９，２０，２１，２２，２３は、情報表示部９の周囲に位置している。回路基板１０ａは、情報表示部９の周囲に位置し、前部に位置し（図２参照）、右側上部に位置している（図１参照）。
【００３７】
１４個の第２発光素子２４は、例えば橙色を発光する発光ダイオードであり、回路基板１０ａに、整列して固定されている。駆動回路Ｄ７は回路基板１０ａに接続され、データ信号ｄ７に従い、回路基板１０ａに固定された第２発光素子２４をオンまたはオフさせている。
【００３８】
第１反射板１０ｂは、片側が回路基板１０ａを固定し、かつ反射板１０ｃが形成されている。この様に、情報表示部９の周囲に配列され、かつ側方（Ｘ２方向）に向けて配置された複数（例えば１４個）の第２発光素子２４と、第１反射板１０ｂと、回路基板１０ａ等により、装飾表示部１０が構成されている。
【００３９】
情報表示部９の周囲に配列され、前部に位置し、かつ側方（Ｘ２方向）に向けて配置された複数（例えば４個）の第２発光素子２４と、第１反射板１１ｂ（図示せず）と、回路基板１１ａ（図示せず）等により、装飾表示部１１が構成されている。
【００４０】
情報表示部９の周囲に配列され、前部に位置し、かつ側方（Ｙ２方向）に向けて配置された複数（例えば１４個）の第２発光素子２４と、第１反射板１２ｂ（図示せず）と、回路基板１２ａ（図示せず）等により、装飾表示部１２が構成されている。
【００４１】
情報表示部９の周囲に配列され、前部に位置し、かつ側方（Ｙ２方向）に向けて配置された複数（例えば１４個）の第２発光素子２４と、第１反射板１３ｂ（図示せず）と、回路基板１３ａ（図示せず）等により、装飾表示部１３が構成されている。
【００４２】
情報表示部９の周囲に配列され、前部に位置し、かつ側方（Ｙ２方向）に向けて配置された複数（例えば１４個）の第２発光素子２４と、第１反射板１４ｂ（図示せず）と、回路基板１４ａ（図示せず）等により、装飾表示部１４が構成されている。
【００４３】
情報表示部９の周囲に配列され、前部に位置し、かつ側方（Ｙ２方向）に向けて配置された複数（例えば４個）の第２発光素子２４と、第１反射板１５ｂ（図示せず）と、回路基板１５ａ（図示せず）等により、装飾表示部１５が構成されている。
【００４４】
情報表示部９の周囲に配列され、前部に位置し、かつ側方（Ｘ１方向）に向けて配置された複数（例えば１４個）の第２発光素子２４と、第１反射板１６ｂ（図示せず）と、回路基板１６ａ（図示せず）等により、装飾表示部１６が構成されている。
【００４５】
情報表示部９の周囲に配列され、前部に位置し、かつ側方（Ｘ１方向）に向けて配置された複数（例えば１４個）の第２発光素子２４と、第１反射板１７ｂ（図示せず）と、回路基板１７ａ（図示せず）等により、装飾表示部１７が構成されている。
【００４６】
情報表示部９の周囲に配列され、前部に位置し、かつ側方（Ｘ１方向）に向けて配置された複数（例えば４個）の第２発光素子２４と、第１反射板１８ｂ（図示せず）と、回路基板１８ａ（図示せず）等により、装飾表示部１８が構成されている。
【００４７】
情報表示部９の周囲に配列され、前部に位置し、かつ側方（Ｙ１方向）に向けて配置された複数（例えば１４個）の第２発光素子２４と、第１反射板１９ｂ（図示せず）と、回路基板１９ａ（図示せず）等により、装飾表示部１９が構成されている。
【００４８】
情報表示部９の周囲に配列され、前部に位置し、かつ側方（Ｙ１方向）に向けて配置された複数（例えば１４個）の第２発光素子２４と、第１反射板２０ｂ（図示せず）と、回路基板２０ａ（図示せず）等により、装飾表示部２０が構成されている。
【００４９】
情報表示部９の周囲に配列され、前部に位置し、かつ側方（Ｙ１方向）に向けて配置された複数（例えば１４個）の第２発光素子２４と、第１反射板２１ｂ（図示せず）と、回路基板２１ａ（図示せず）等により、装飾表示部２１が構成されている。
【００５０】
情報表示部９の周囲に配列され、前部に位置し、かつ側方（Ｙ１方向）に向けて配置された複数（例えば４個）の第２発光素子２４と、第１反射板２２ｂ（図示せず）と、回路基板２２ａ（図示せず）等により、装飾表示部２２が構成されている。
【００５１】
情報表示部９の周囲に配列され、前部に位置し、かつ側方（Ｘ２方向）に向けて配置された複数（例えば１４個）の第２発光素子２４と、第１反射板２３ｂ（図示せず）と、回路基板２３ａ（図示せず）等により、装飾表示部２３が構成されている。
【００５２】
駆動回路Ｄ８〜Ｄ２０は各々、回路基板１１ａ〜２３ａに接続され、データ信号ｄ８〜ｄ２０に従い、各々、回路基板１１ａ〜２３ａに固定された各第２発光素子２４をオンまたはオフさせている。この様に、各第２発光素子２４から出射された光は、第１反射板１０ｂ〜２３ｂにて反射され、前方（Ｚ２方向）に向かう。
【００５３】
同様に、装飾表示部１０Ａ，１１Ａ，１２Ａ，１３Ａ，１４Ａ，１５Ａ，１６Ａ，１７Ａ，１８Ａ，１９Ａ，２０Ａ，２１Ａ，２２Ａ，２３Ａは、情報表示部９の周囲に位置している。回路基板１０Ｂは、情報表示部９の周囲に位置し、後部に位置し（図２参照）、正面から見れば、右側下部に位置している。
【００５４】
１４個の第３発光素子２５は、例えば橙色を発光する発光ダイオードであり、回路基板１０Ｂに、整列して固定されている。
【００５５】
第２反射板１０Ｃは、片側が回路基板１０Ｂを固定し、かつ反射部１０Ｄが形成されている。この様に、情報表示部９の周囲に配列され、かつ側方（Ｘ２方向）に向けて配置された複数（例えば１４個）の第３発光素子２５と、第２反射板１０Ｃと、回路基板１０Ｂ等により、装飾表示部１０Ａが構成されている。
【００５６】
同様に、複数の第３発光素子２５と、第２反射板１１Ｃ〜２３Ｃ（図示せず）と、回路基板１１Ｂ〜２３Ｂ（図示せず）等により、各々、装飾表示部１１Ａ〜２３Ａが構成されている。
【００５７】
以上の構成を以下にまとめる。情報表示部９，９ａの周囲に配列され、かつ側方に向けて配置された複数の第２発光素子２４および第３発光素子２５と、第１反射板１０ｂ〜２３ｂおよび第２反射板１０Ｃ〜２３Ｃとからなる装飾表示部１０〜２３、１０Ａ〜２３Ａとが設けられている。複数の第２発光素子２４から出射された光は、第１反射板１０ｂ〜２３ｂにて反射され、前方（Ｚ２方向）に向かう。複数の第３発光素子２５から出射された光は、第２反射板１０Ｃ〜２３Ｃにて反射され、後方（Ｚ１方向）に向かう様に構成されている。
【００５８】
カバー２６は例えば、上カバー２７と、下カバー２８と、横カバー２９，３０，３１，３２と、隅カバー３３，３４，３５，３６等により構成されている。
【００５９】
上カバー２７は例えば、アクリル樹脂等の透明な材質からなる。上カバー２７は正面から見れば、略長方形の形状をしており、断面して見れば（図２参照）、周辺部が中央部よりも低い位置になる様に、形成されている。
【００６０】
下カバー２８は例えば、アクリル樹脂等の透明な材質からなる。下カバー２８は正面から見れば、略長方形の形状をしており、断面して見れば（図２参照）、周辺部が中央部よりも高い位置になる様に、形成されている。
【００６１】
横カバー２９，３０，３１，３２は例えば、アルマイト処理されたアルミニュウムからなる。横カバー２９は正面から見れば、略長方形であり、右側に位置している。横カバー３０は正面から見れば、略長方形であり、上側に位置している。横カバー３１は正面から見れば、略長方形であり、左側に位置している。横カバー３２は正面から見れば、略長方形であり、下側に位置している。
【００６２】
横カバー２９，３０，３１，３２は断面して見れば（図２参照）、略コ字状に形成されている。横カバー２９は、前部に第１開口部２９ａ，２９ｂが形成され、後部に第２開口部２９ｃ，２９ｄが形成されている。
【００６３】
横カバー３０は、前部に第１開口部３０ａ，３０ｂ，３０ｃが形成され、後部に第２開口部３０ｄ，３０ｅ，３０ｆが形成されている。横カバー３１は、前部に第１開口部３１ａ，３１ｂが形成され、後部に第２開口部３１ｃ，３１ｄが形成されている。横カバー３２は、前部に第１開口部３２ａ，３２ｂ，３２ｃが形成され、後部に第２開口部３２ｄ，３２ｅ，３２ｆが形成されている。
【００６４】
隅カバー３３は例えばアクリル樹脂等からなり、正面から見れば、横カバー２９と３０をつなぐ様に配置され、断面して見れば、略コ字状に形成されている。隅カバー３３は、前部に第１開口部３３ａが形成され、後部に第２開口部３３ｂが形成されている。
【００６５】
隅カバー３４は例えばアクリル樹脂等からなり、正面から見れば、横カバー３０と３１をつなぐ様に配置され、断面して見れば、略コ字状に形成されている。隅カバー３４は、前部に第１開口部３４ａが形成され、後部に第２開口部３４ｂが形成されている。
【００６６】
隅カバー３５は例えばアクリル樹脂等からなり、正面から見れば、横カバー３１と３２をつなぐ様に配置され、断面して見れば、略コ字状に形成されている。隅カバー３５は、前部に第１開口部３５ａが形成され、後部に第２開口部３５ｂが形成されている。
【００６７】
隅カバー３６は例えばアクリル樹脂等からなり、正面から見れば、横カバー３２と２９をつなぐ様に配置され、断面して見れば、略コ字状に形成されている。隅カバー３６は、前部に第１開口部３６ａが形成され、後部に第２開口部３６ｂが形成されている。
【００６８】
回路基板１０ａに固定された第２発光素子２４から出射された光は、第１反射板１０ｂに形成された反射部１０ｃにて反射される。この反射光は、基台３７に形成された開口部３８を通過し、上カバー２７の周辺部を透過し、第１開口部２９ｂを通過し、前方（Ｚ２方向）に向かう。
【００６９】
同様に、回路基板１１ａ，１２ａ，１３ａ，１４ａ，１５ａ，１６ａ，１７ａ，１８ａ，１９ａ，２０ａ，２１ａ，２２ａ，２３ａに各々固定された第２発光素子２４から出射された光は、第１反射板１１ｂ，１２ｂ，１３ｂ，１４ｂ，１５ｂ，１６ｂ，１７ｂ，１８ｂ，１９ｂ，２０ｂ，２１ｂ，２２ｂ，２３ｂに各々形成された反射部にて反射される。
【００７０】
この反射光は、基台３７に形成された開口部３８を通過し、上カバー２７の周辺部を透過し、第１開口部３３ａ，３０ａ，３０ｂ，３０ｃ，３４ａ，３１ａ，３１ｂ，３５ａ，３２ａ，３２ｂ，３２ｃ，３６ａ，２９ａを各々通過し、前方（Ｚ２方向）に向かう。
【００７１】
同様に、回路基板１０Ｂ，１１Ｂ，１２Ｂ，１３Ｂ，１４Ｂ，１５Ｂ，１６Ｂ，１７Ｂ，１８Ｂ，１９Ｂ，２０Ｂ，２１Ｂ，２２Ｂ，２３Ｂに各々固定された第３発光素子２５から出射された光は、第２反射板１０Ｃ，１１Ｃ，１２Ｃ，１３Ｃ，１４Ｃ，１５Ｃ，１６Ｃ，１７Ｃ，１８Ｃ，１９Ｃ，２０Ｃ，２１Ｃ，２２Ｃ，２３Ｃに各々形成された反射部にて反射される。
【００７２】
この反射光は、基台３７に形成された開口部３９を通過し、下カバー２８の周辺部を透過し、第２開口部２９ｄ，３３ｂ，３０ｄ，３０ｅ，３０ｆ，３４ｂ，３１ｃ，３１ｄ，３５ｂ，３２ｄ，３２ｅ，３２ｆ，３６ｂ，２９ｃを各々通過し、後方（Ｚ１方向）に向かう。
【００７３】
上述した様に、カバー２６は、第１発光素子３，３ａと、第２発光素子２４と、第３発光素子２５と、第１反射板１０ｂ〜２３ｂと、第２反射板１０Ｃ〜２３Ｃとを覆う。カバー２６は、周辺部Ｃが中央部Ｂよりも薄くなる様に構成されている（図２参照）。
【００７４】
そして、第２発光素子２４または第３発光素子２５から出射された光は、カバー２６の周辺部Ｃを介して、各々、前方（Ｚ２方向）または後方（Ｚ１方向）に向かう様に構成されている。
【００７５】
基台３７は金属板等からなり、前方が開放された箱状に形成されている。第１反射板１０ｂ〜２３ｂに形成された折り曲げ部分は、基台３７の取り付け部に当接され、ネジ等により固定されている。第２反射板１０Ｃ〜２３Ｃに形成された折り曲げ部分は、基台３７の取り付け部に当接され、ネジ等により固定されている。
【００７６】
複数の支持体４０（図２では、１個しか図示していないが）は金属等よりなり、基台３７の底面の適所に配置され、ネジ（図示せず）等により、上記底面に固定されている。
【００７７】
各支持体４０の前面は各々、回路基板２，４，５，６，７，８の底面に当接され、ネジ（図示せず）等により、上記底面は上記前面に固定されている。
【００７８】
複数の支持体４１は例えば金属等からなり、基台３７の底部と、回路基板２ａ，４ａ，５ａ，６ａ，７ａ，８ａとの間に配置され、ネジ（図示せず）等により固定されている。
【００７９】
図３において、ＩＣカード４２は、パーソナルコンピュータ等により、コードデータ等が書き込まれたものである。カード制御回路４３は、入力されたコードデータを、Ｉ／Ｏポート４４に対し、入力するものである。
【００８０】
リモコン４５は、例えば、テンキー等の入力部と、変換部と、発光部（共に図示せず）等からなる。リモコン４５は、使用者により、入力部に所定の入力がなされると、その入力に従う入力信号を重畳した赤外線信号を出力するものである。
【００８１】
リモコン制御回路４６は例えば、受光部と、変換部と、増幅部と、フィルタなどからなる。受光部は、リモコン４５から放射された赤外線信号を受光電流に変換する。変換部は受光電流から、必要な信号を抽出する。上記信号は増幅部により増幅され、フィルタによりフィルタリングされ、入力信号として、Ｉ／Ｏポート４４へ与えられる。この様に、リモコン４５はＩ／Ｏポート４４に対し、入力信号を出力するものである。
【００８２】
制御部４７は例えばＣＰＵ等からなる。ＲＯＭ４８はリードオンリーメモリであり、制御部４７の制御プログラムを記憶しており、制御部４７に接続されている。
【００８３】
ＲＡＭ４７はランダムアクセスメモリであり、制御部４７に接続されている。また、ＲＡＭ４９は、データを加工するためのワークエリアを有している。
【００８４】
制御回路５０はゲートアレイ等からなり、制御部４７に接続され、駆動回路Ｄ１〜Ｄ２０にも接続されている。制御回路５０は駆動回路Ｄ１〜Ｄ２０に対し、クロック信号ＣＬと、ラッチ信号ＬＴと、データ信号ｄ１〜ｄ２０と、走査信号Ｓを出力する。以上の部品により、この電光表示装置１は構成されている。
【００８５】
次に図４において、第１反射板１０ｂはアルミニュウム等からなり、第１反射板１０ｂに形成された反射部１０ｃの傾き角度（Ｘ１−Ｘ２方向との角度であり、Ｄで示した）は４５度である。この時、複数の第２発光素子２４から出射された光は、第１反射板１０ｂにて反射され、前方に向かい、光像５１，５２，５３が形成される。
【００８６】
反射部１０ｃの傾き角度Ｄが４５度であるので、光像５１，５２，５３のＸ１−Ｘ２方向の長さＥと、Ｙ１−Ｙ２方向の長さＥは一致する。即ち、光像５１，５２，５３は真円である。
【００８７】
次に、図５に従って、本発明を実施するための最良の形態２に係る電光表示装置５４を説明する。図５（ａ）は、電光表示装置５４の要部平面図、図５（ｂ）は電光表示装置５４の要部断面図である。
【００８８】
これらの図において、第１反射板１０ｄはアルミニュウム等からなる。第１反射板１０ｄの傾き角度Ｆは例えば、３０度である。この時、複数の第２発光素子２４から出射された光は、第１反射板１０ｄにて反射され、前方に向かい、光像５１ａ，５２ａ，５３ａが形成される。
【００８９】
上述の様に、反射部１０ｄの傾き角度Ｆが４５度より小さいので、光像５１ａ，５２ａ，５３ａのＸ１−Ｘ２方向の長さＧは、Ｙ１−Ｙ２方向の長さＥよりも大きくなる。その
結果、光像５１ａ，５２ａ，５３ａは楕円状に形成される。
【００９０】
同様に、第１反射板１１ｄ〜２３ｄの傾き角度Ｆはゼロ度より大きく、４５度より小さく形成されている。また、第２反射板１０Ｅ〜２３Ｅの傾き角度Ｆも、ゼロ度より大きく４５度より小さくなる様に、形成されている。
【００９１】
この様に、第１反射板１０ｄ〜２３ｄの傾き角度をゼロ度より大きく、４５度より小さくする事により、前方（Ｚ２方向）に向かう光像５１ａ，５２ａ，５３ａが楕円状に形成される（図５（ａ）を参照）。なお、第１反射板１０ｄ〜２３ｄと、第２反射板１０Ｅ〜２３Ｅの部品以外の部品は、図１ないし図４に示された電光表示装置１の部品と同一である。
【００９２】
次に、図６に従い、本発明を実施するための最良の実施の形態３に係る電光表示装置５５を説明する。図６（ａ）は、電光表示装置５５の要部平面図、図６（ｂ）は電光表示装置５５の要部断面図である。
【００９３】
これらの図において、第１反射板１０ｆは例えばアルミニュウム等からなる。第１反射板１０ｆは反射部１０ｇを有し、傾き角度は例えば４５度である。この時、複数の第２発光素子２４から出射された光は、第１反射板１０ｆにて反射され、前方に向かい、真円の光像５１，５２，５３が形成される。
【００９４】
前方に向かう複数の光像５１，５２，５３の整列方向（Ｙ１−Ｙ２方向）と直交する方向（Ｘ１−Ｘ２）に位置する様に、第１反射板１０ｆの反射部１０ｇの表面に、所定の間隔（例えば、０．５ｍｍ）にて、複数のスリット５６が形成されている。
【００９５】
各々のスリット５６の幅は例えば、０．２ｍｍであり、その深さは例えば、０．０２ｍｍであり、各スリット５６の断面形状は逆三角形である。
【００９６】
複数（例えば３個）の第２発光素子２４は、同時に点灯（オン）される。この時、光像５１の周辺には、伸びた像５１ｂが形成される。伸びた像５１ｂは菱形状である。
【００９７】
光像５２の周辺には、伸びた像５２ｂが形成される。伸びた像５２ｂは菱形状である。光像５３の周辺には、伸びた像５３ｂが形成される。伸びた像５３ｂは菱形状である。この様に、光像５１，５２，５３の整列方向と直交する方向にて、複数のスリット５６を設ける事により、伸びた像５１ｂ，５２ｂ，５３ｂが連続する。
【００９８】
次に、図７の要部断面図に従い、本発明を実施するための最良の形態４に係る電光表示装置５７を説明する。この電光表示装置５７は、図２に示された電光表示装置１から、回路基板１０Ｂ等と、第２反射板１０Ｃ等と、回路基板２ａ等と、第１発光素子３ａと、第３発光素子２５と、支持体４０，４１と、駆動回路Ｄ１ａ〜Ｄ２０ａを除いたものである。
【００９９】
下カバー２８ａは、下カバー２８と異なり、平板の形状である。この様にして、カバー２６ａは、上カバー２７と、横カバー２９等と、下カバー２８ａと、隅カバー３３等からなる。その他の部品は、電光表示装置１に用いられた部品と同一である。この様に、電光表示装置５７は、前面（即ち、Ｚ２方向）のみの表示を行う。
【０１００】
上述の様に、電光表示装置５７において、行列状に配列され、かつ前方（Ｚ２方向）に向けて配置された複数の第１発光素子３からなり、複数の第１発光素子３のオンまたはオフによって、画像情報を表示する情報表示部９が設けられている。
【０１０１】
情報表示部９の周囲に配列され、かつ側方に向けて配置された複数の第２発光素子２４と、第１反射板１０ｂ等からなる装飾表示部１０が設けられている。
【０１０２】
複数の第２発光素子２４から出射された光は、側方に進み、第１反射板１０ｂ等にて反射され、前方（Ｚ２方向）に向かう様に構成されている。
【０１０３】
更に、複数の第１発光素子３を覆い、複数の第２発光素子２４を覆い、第１反射板１０ｂ等を覆う様に、カバー２６ａが設けられている。カバー２６ａは、周辺部Ｊが中央部Ｉよりも薄くなり様に構成されている。
【０１０４】
複数の第２発光素子２４から出射された光は、第１反射板１０ｂにて反射され、カバー２６ａの周辺部Ｊを介して、前方（Ｚ２方向）に向かう様に構成されている。
【図面の簡単な説明】
【０１０５】
【図１】本発明を実施するための最良の形態１に関する電光表示装置１の正面図である。
【図２】図１のＡ１Ａ２断面図である。
【図３】上記電光表示装置１のブロック図である。
【図４】図４（ａ）は上記電光表示装置１の要部平面図、図４（ｂ）は要部断面図である。
【図５】図５（ａ）は、本発明を実施するための最良の形態２に係る電光表示装置５４の要部平面図、図５（ｂ）は要部断面図である。
【図６】図６（ａ）は、本発明を実施するための最良の形態３に係る電光表示装置５５の要部平面図、図６（ｂ）は要部断面図である。
【図７】本発明を実施するための最良の形態４に係る電光表示装置５７の要部平面図である。
【符号の説明】
【０１０６】
３  第１発光素子
９  情報表示部
１０  装飾表示部
１０ｂ  第１反射板
２４  第２発光素子
【図１】
2005215392.tif 000003
【図２】
2005215392.tif 000004
【図３】
2005215392.tif 000005
【図４】
2005215392.tif 000006
【図５】
2005215392.tif 000007
【図６】
2005215392.tif 000008
【図７】
2005215392.tif 000009